(57)【要約】【課題】ミラーキャビネットの設置態様によらず、電器ユニットへの良好な作業性を確保して、良好な使い勝手を確保できるミラーキャビネットを提供する。【解決手段】キャビネット７の下面部に複数の配線挿通部３をキャビネット７の幅方向に並べて設ける。外部電気機器の接続用の接続端子５またはキャビネット７に配線した電線４の通電操作用の操作部６を備えると共にキャビネット７よりも幅寸法を小さく形成した電器ユニット２を、任意に選択した配線挿通部３に対応するキャビネット７の下面部に沿わせて取り付けると共に、キャビネット７に配線した電線４を上記選択した配線挿通部３に挿通させて電器ユニット２に接続させる。【選択図】図１
2008237614.tif 000002
【特許請求の範囲】
【請求項１】
キャビネットの前面にミラーを備えて成るミラーキャビネットにおいて、キャビネットの下面部に複数の配線挿通部をキャビネットの幅方向に並べて設け、外部電気機器の接続用の接続端子またはキャビネットに配線した電線の通電操作用の操作部を備えると共にキャビネットよりも幅寸法を小さく形成した電器ユニットを、任意に選択した配線挿通部に対応するキャビネットの下面部に沿わせて取り付けると共に、キャビネットに配線した電線を上記選択した配線挿通部に挿通させて電器ユニットに接続させて成ることを特徴とするミラーキャビネット。
【発明の詳細な説明】
【技術分野】
【０００１】
本発明は、ミラーキャビネットに関するものである。
【背景技術】
【０００２】
従来から、図５のように、キャビネット７の前面にミラー８を備えて成るミラーキャビネット１には、整髪等で用いる理容機器などの外部電気機器を接続させる接続端子５（コンセント）やミラーキャビネット１に備えた照明装置１８などの電装機器のオンオフ操作する操作部６（スイッチ）が設けられている。これら接続端子５や操作部６はいわゆる電気部品であるからキャビネット７とは別体に製造した電器ユニット２であるが、この電器ユニット２はキャビネット７の下端部におけるキャビネット７の幅方向の一端部に装着されるのが一般的である。また、電器ユニット２を備えたミラーキャビネット１には、図６のように、ミラーキャビネット１の幅方向端部にキャビネット７を設け、このキャビネット７の下端部に電器ユニット２を付設したものもある（たとえば特許文献１参照）。
【０００３】
このように従来、電器ユニット２を備えたミラーキャビネット１にあって電器ユニット２はキャビネット７の幅方向の端部という所定箇所に取り付けられているが、実際にミラーキャビネット１を使用するユーザーからは、電器ユニット２がキャビネット７の所定位置に配置されることによる弊害を指摘されるに至っている。
【０００４】
つまり、ミラーキャビネット１は設置する洗面所などの建物形状によっては様々な設置態様となり得るのであり、たとえば図６のようにミラーキャビネット１の右隣りに建物壁９が位置すると、キャビネット７の右端部に配置された電器ユニット２への作業（操作部６の操作作業や接続端子５への電気機器の接続作業）が建物壁９によって妨げられてしまう、といった問題が指摘されているのである。
【特許文献１】特開平８−１３１３５３号公報
【発明の開示】
【発明が解決しようとする課題】
【０００５】
本発明は上記の点に鑑みてなされたものであり、その目的とするところは、ミラーキャビネットの設置態様によらず、電器ユニットへの良好な作業性を確保して、良好な使い勝手を確保できるミラーキャビネットを提供することを課題とするものである。
【課題を解決するための手段】
【０００６】
上記課題を解決するために請求項１に係るミラーキャビネットにあっては、キャビネット７の前面にミラー８を備えて成るミラーキャビネット１において、キャビネット７の下面部に複数の配線挿通部３をキャビネット７の幅方向に並べて設け、外部電気機器の接続用の接続端子５またはキャビネット７に配線した電線４の通電操作用の操作部６を備えると共にキャビネット７よりも幅寸法を小さく形成した電器ユニット２を、任意に選択した配線挿通部３に対応するキャビネット７の下面部に沿わせて取り付けると共に、キャビネット７に配線した電線４を上記選択した配線挿通部３に挿通させて電器ユニット２に接続させて成ることを特徴とする。
【０００７】
これによると、接続端子５または操作部６を備えると共にキャビネット７よりも幅寸法を小さく形成した電器ユニット２を、キャビネット７に配線して配線挿通部３を通した電線４に接続させた上でキャビネット７の幅方向の任意箇所に取り付けることができるから、たとえば建物壁９がミラーキャビネット１の右隣りに位置するミラーキャビネット１の設置態様の場合には、建物壁９により電器ユニット２への操作に支障の出る恐れのあるミラーキャビネット１の右端部を避けて電器ユニット２をミラーキャビネット１に備えることができるのであり、つまり、ミラーキャビネット１の設置態様によらず電器ユニット２に対する良好な操作性や作業性を確保でき、ミラーキャビネット１に良好な使い勝手を確保することができる。
【発明の効果】
【０００８】
本発明にあっては、ミラーキャビネットの設置態様によらず、電器ユニットへの良好な作業性を確保して、ミラーキャビネットに良好な使い勝手を確保できる、という利点を有する。
【発明を実施するための最良の形態】
【０００９】
以下、本発明を添付図面に示す実施形態に基いて説明する。
【００１０】
図１乃至図４に本発明の実施の形態の例を示す。本例では本発明に特有の構成を有するミラーキャビネット１を備えた洗面化粧台１０を例示する。
【００１１】
この洗面化粧台１０は、図２及び図３のように、洗面ボウル１３を備えた洗面台１１の後部に洗面ボウル１３での水跳ねを受けるための立ち上がり壁部１４を立設し、前面にミラー８を備えたミラーキャビネット１を立ち上がり壁部１４の上に載設して構成されている。
【００１２】
ここで、本例の洗面ボウル１３は樹脂製であり、ボウル部１３ａの後部から鉛直板状の立ち上がり壁部１４を一体に上方に延出してあり、ボウル部１３ａの後部の幅方向の中央部ではボウル部１３ａの底面から立ち上がる側面が立ち上がり壁部１４に連続して繋がるようにされ、ボウル部１３ａの後部の幅方向の両端部ではボウル部１３ａの上面より一段下がるような台部１３ｂがボウル部１３ａの底面から立設されている。
【００１３】
また、ミラーキャビネット１は、前方に開口した函状のキャビネット７とキャビネット７の前方開口を塞ぐように配置される扉１２とを有する。キャビネット７はその内部空間が、縦リブ７ｃや棚となる横リブ７ｂによって、複数の収納部１９に区分けされている。扉１２はキャビネット７の幅方向に並んで複数（本例では３つ）設けられており、各扉１２の前面には略全面に亙ってミラー８がそれぞれ備えられていてミラー８付きの扉１２にされている。各扉１２は、その幅方向の一端がキャビネット７に枢支されて収納部１９を開閉するように回動自在にされており、各扉１２のミラー８が洗面化粧台１０の幅方向の中央前方に立つ使用者に向くような３面鏡状にできるようにされている。なお、各扉１２はその下端がキャビネット７の下端と略同位置になるようにキャビネット７に取着されている。また、キャビネット７の上端にはミラーキャビネット１の前方を照らすことのできる照明装置１８が載設される。
【００１４】
キャビネット７の下端部には幅方向の中央部分にカラン部１５が配置されている。カラン部１５は湯水混合栓や吐水管１６や吐水操作杆１７を有している。なお、湯水混合栓は洗面化粧台１０を沿わせる建物壁９の壁内や立ち上がり壁部１４の内部に配管される給湯管や給水管に接続される。吐水管１６は湯水混合栓で混合された水を吐出する部位である。吐水操作杆１７は湯水混合栓での湯水の混合比と吐水量を操作可能なレバーである。ここで、カラン部１５の主要部構成物である湯水混合栓はキャビネット７や扉１２で隠匿されている。一方、湯水混合栓から垂下する吐水管１６や吐水操作杆１７はキャビネット７や扉１２から下方に突出されて洗面化粧台１０の前方の使用者に目視され、使用、操作可能にされている。なお、吐水管１６から吐水される洗面用の水は台部１３ｂにかからず、ボウル部１３ａの底面に至るようにされている。したがって、本例の洗面化粧台１０は、扉１２を閉めたときには図２のように、煩雑な印象を与えるカラン部１５をその使用、操作に支障をきたさない程度に極力外観に出さないようにされ、すっきりとしたシンプルな外観が現出されるようになっている。
【００１５】
また図１のように、キャビネット７の下面部には、複数の配線挿通部３がキャビネット７の幅方向に並べて穿設されている（本例ではキャビネット７の左端部と右端部に通孔状の配線挿通部３が一対穿設されている）。キャビネット７の内部には照明装置１８等の電装機器や商用電源から至る電線４が配線されているが、この電線４は複数の配線挿通部３のうち任意に選択した配線挿通部３を通して外部に導出可能にされ、電器ユニット２の接続線２１に結線可能にされている。ここで、電器ユニット２は、整髪等で用いる理容機器などの外部電気機器を接続させる接続端子５（コンセント）や、ミラーキャビネット１に備えた照明装置などの電装機器のオンオフ操作する操作部６（スイッチ）等の電気機器を集めて一体化したユニットである。詳しくは、本例の電器ユニット２は、上下に薄い薄型箱状の外殻ハウジング２０を有し、外殻ハウジング２０の前面に接続端子５や操作部６の前面部を臨ませるようにして外殻ハウジング２０の内部に接続端子５や操作部６が収納されている。なお、この電器ユニット２はキャビネット７の幅寸法よりも充分に小さい幅寸法に形成されており、また、接続端子５や操作部６からは外殻ハウジング２０に設けた開口（本例では外殻ハウジング２０が上方に開口している）を通して接続線２１が外部に導出され、上記のように配線挿通部３を通ってキャビネット７の外部に導出した電線４と結線可能にされている。
【００１６】
上記構成を備えたミラーキャビネット１では、電器ユニット２はキャビネット７の幅方向の任意箇所を選んでキャビネット７の下面部に沿わせて取り付け可能になっている。つまりキャビネット７の下面が電器ユニット２の取付面７ａとなっている。本例では、図２のようにキャビネット７の左端部に電器ユニット２を設けたり、図４のようにキャビネット７の右端部に電器ユニット２を設けたりする、２パターンの電器ユニット２の取付形態を採用できる。つまり、キャビネット７に配線した電線４は複数の配線挿通部３のうち任意に選択した配線挿通部３に通して外部に導出されるのであるが、電器ユニット２はこの電線４が挿通される選択した配線挿通部３に対応するキャビネット７の下面部に位置させると接続線２１と電線４とを結線できるから該位置に取り付けることができるのである。なお、電器ユニット２のキャビネット７の下面部への取り付けは、ビスなどの固着具等の任意の取付手段を用いて行われる。
【００１７】
このように、電器ユニット２をキャビネット７に配線して配線挿通部３を通した電線４に接続させた上でキャビネット７の幅方向の任意箇所に取り付けることができるから、たとえば図３のように建物壁９がミラーキャビネット１の右隣りに位置するミラーキャビネット１の設置態様の場合には、建物壁９により電器ユニット２への操作に支障の出る恐れのあるミラーキャビネット１の右端部を避けて電器ユニット２をミラーキャビネット１に備えることができるのであり、つまり、ミラーキャビネット１の設置態様によらず電器ユニット２に対する良好な操作性や作業性を確保でき、ミラーキャビネット１に良好な使い勝手を確保することができたのである。
【図面の簡単な説明】
【００１８】
【図１】本発明の実施の形態の例の洗面化粧台におけるミラーキャビネットの要部の分解斜視図である。
【図２】同上のミラーキャビネットへの電器ユニットの取付形態の一例を採用した洗面化粧台であり、（ａ）は正面図であり、（ｂ）は一部切欠側面図である。
【図３】同上の洗面化粧台の設置態様の例を示す斜視図である。
【図４】同上のミラーキャビネットへの電器ユニットの取付形態の他例を採用した洗面化粧台の正面図である。
【図５】従来技術の例のミラーキャビネットの正面図である。
【図６】従来技術の他例のミラーキャビネット（洗面化粧台）の設置態様の例を示す斜視図である。
【符号の説明】
【００１９】
１  ミラーキャビネット
２  電器ユニット
３  配線挿通部
４  電線
５  接続端子
６  操作部
７  キャビネット
８  ミラー
９  建物壁
１０  洗面化粧台
【図１】
2008237614.tif 000003
【図２】
2008237614.tif 000004
【図３】
2008237614.tif 000005
【図４】
2008237614.tif 000006
【図５】
2008237614.tif 000007
【図６】
2008237614.tif 000008